(57)【特許請求の範囲】
【請求項１】
予作動弁と、
該予作動弁の一次側に接続され、基端側に加圧送水装置が接続され、水源からの加圧水が充満された一次側配管と、
前記予作動弁の二次側に接続され、スプリンクラヘッドが接続された、平常時は充水されない二次側配管と、
該二次側配管に真空配管を介して接続され、前記真空配管内を常に負圧とするように制御されて前記二次側配管内を負圧にする真空ポンプと、
前記真空配管に接続され、前記真空配管内の圧力を通して前記二次側配管内の圧力を検出し、該圧力が所定値または所定の上昇率を超えたときに信号を送出する圧力検出手段と、
前記真空ポンプが運転中であっても前記スプリンクラヘッドの開栓時に上昇する前記二次側配管内の圧力を前記圧力検出手段が検出できるように、前記真空配管の基端側に介在するように設けられたオリフィスと、
前記オリフィスと前記二次側配管との間の真空配管に介在するように設けられ、前記予作動弁を開弁すると前記二次側配管に流入する加圧水に押圧されて閉弁する常開の流水遮断弁と、
を有するスプリンクラ消火設備において、
前記真空配管に前記オリフィスと並列になるように接続された常閉の開放弁と、
前記予作動弁が開放されたとき又は開放されるときに、前記流水遮断弁を吸引して、当該流水遮断弁の弁体のチャタリングを防止し確実に閉止するように前記開放弁を開放する弁制御手段と、
を備えたことを特徴とするスプリンクラ消火設備。
【請求項２】
前記弁制御手段は、前記予作動弁が開放することなく前記圧力検出手段からの信号が入力されると、前記開放弁を開放することを特徴とする請求項１記載のスプリンクラ消火設備。
【請求項３】
前記弁制御手段は、前記開放弁を開放するとともに、防護区画内に配設された火災感知器からの火災信号を受信したときに、前記予作動弁を開放することを特徴とする請求項１又は２記載のスプリンクラ消火設備。
【請求項４】
予作動弁と、
該予作動弁の一次側に接続され、基端側に加圧送水装置が接続され、水源からの加圧水が充満された一次側配管と、
前記予作動弁の二次側に接続され、スプリンクラヘッドが接続された、平常時は充水されない二次側配管と、
該二次側配管に真空配管を介して接続され、前記真空配管内を常に負圧とするように制御されて前記二次側配管内を負圧にする真空ポンプと、
前記真空配管に接続され、前記真空配管内の圧力を通して前記二次側配管内の圧力を検出し、該圧力が所定値または所定の上昇率を超えたときに信号を送出する圧力検出手段と、
前記真空ポンプが運転中であっても前記スプリンクラヘッドの開栓時に上昇する前記二次側配管内の圧力を前記圧力検出手段が検出できるように、前記真空配管の基端側に介在するように設けられたオリフィスと、
前記オリフィスと前記二次側配管との間の真空配管に介在するように設けられ、前記予作動弁を開弁すると前記二次側配管に流入する加圧水に押圧されて閉弁する常開の流水遮断弁と、
を有するスプリンクラ消火設備の制御方法において、
前記真空配管に前記オリフィスと並列になるように常閉の開放弁を接続し、
前記予作動弁が開放されたとき又は開放されるときに前記流水遮断弁を吸引して、当該流水遮断弁の弁体のチャタリングを防止し確実に閉止するように前記開放弁を開放し、
前記予作動弁が開放されることなく、前記二次側配管内の圧力または圧力上昇率のいずれかがそれぞれ予め定めた所定値を超えたときに、前記開放弁を開放し、
さらに、前記開放弁を開放するとともに防護区画内に配設された火災感知器が火災を感知したときには、前記予作動弁を開放して開栓した前記スプリンクラヘッドから散水することを特徴とするスプリンクラ消火設備の制御方法。
【発明の詳細な説明】
【技術分野】
【０００１】
本発明は、スプリンクラ消火設備に係わり、特に、予作動弁の二次側にある二次側配管を負圧状態にしたスプリンクラ消火設備及びスプリンクラ消火設備の制御方法に関するものである。
【背景技術】
【０００２】
従来より、火災時に開放される予作動弁の二次側に接続された二次側配管、二次側配管に立ち下がり配管を介して接続されたスプリンクラヘッド、二次側配管に真空配管を介して接続され、平常状態に二次側配管内を負圧とする真空ポンプ、真空配管に設けられた流水遮断弁、流水遮断弁と真空ポンプの間の真空配管に設けられたオリフィス等により構成されるスプリンクラ消火設備がある。
火災発生時に予作動弁を開放したときは消火用水が二次側配管に流れ込むが、真空ポンプは、水を吸引すると過負荷で停止したり故障を起こしたりする虞がある。そこで、予作動弁の開放に連動して閉止する電動弁または逆止弁である流水遮断弁を真空配管に設け、真空配管に水が流入しないようにしている。また、スプリンクラヘッドが開栓したときに、二次側配管の所定の圧力上昇によってスプリンクラヘッドの作動を検出するようにしているが、開栓したスプリンクラヘッドから流入する空気量は多くないので、真空ポンプが運転中であってもスプリンクラヘッド開栓時に二次側配管の圧力が十分に上昇するよう真空配管にオリフィスを設け、スプリンクラヘッドの作動を確実に検出できるようにしている（例えば、特許文献１参照）。
このような真空式のスプリンクラ消火設備では、スプリンクラヘッドが接続される立ち下がり管部分に水が残っていても、二次側配管内は負圧空気となるので、何らかの原因でスプリンクラヘッドが破損しても漏水を防ぐことができる。
【先行技術文献】
【特許文献】
【０００３】
【特許文献１】特開２０１０−２３３５９８号公報（第４頁、図１）
【発明の概要】
【発明が解決しようとする課題】
【０００４】
前述した従来のスプリンクラ消火設備では、何らかの要因でスプリンクラヘッドが破損した場合、真空ポンプを駆動していてもオリフィスで圧損が生じるので、立ち下がり配管内の残水の量によってはこれを吸引しきれず、漏水する場合がある。また、火災発生時に予作動弁を開放して二次側配管内に消火用水を流入させたとき、オリフィスでの圧損によって流水遮断弁の一次側と二次側の圧力差が生じにくくなり、予作動弁の開放と連動して機械的に閉止する流水遮断弁、例えば逆止弁構造の流水遮断弁を用いていた場合は、弁体が開閉を繰り返すチャタリングを起こし、真空ポンプに水が流入することがあるという課題があった。
【０００５】
本発明は、前記のような課題を解決するためになされたもので、第１の目的は、火災発生時に予作動弁を開放したとき、流水遮断弁の弁体を確実に閉止し、真空ポンプに水が流入しないスプリンクラ消火設備及びスプリンクラ消火設備の制御方法を得るものである。
第２の目的は、スプリンクラヘッドが破損しても立ち下がり配管内の残水を確実に吸引し、漏水を起こさないスプリンクラ消火設備及びスプリンクラ消火設備の制御方法を得るものである。
【課題を解決するための手段】
【０００６】
本発明に係るスプリンクラ消火設備は、予作動弁と、該予作動弁の一次側に接続され、基端側に加圧送水装置が接続され、水源からの加圧水が充満された一次側配管と、前記予作動弁の二次側に接続され、スプリンクラヘッドが接続された、平常時は充水されない二次側配管と、該二次側配管に真空配管を介して接続され、前記真空配管内を常に負圧とするように制御されて前記二次側配管内を負圧にする真空ポンプと、前記真空配管に接続され、前記真空配管内の圧力を通して前記二次側配管内の圧力を検出し、該圧力が所定値または所定の上昇率を超えたときに信号を送出する圧力検出手段と、前記真空ポンプが運転中であっても前記スプリンクラヘッドの開栓時に上昇する前記二次側配管内の圧力を前記圧力検出手段が検出できるように、前記真空配管の基端側に介在するように設けられたオリフィスと、前記オリフィスと前記二次側配管との間の真空配管に介在するように設けられ、前記予作動弁を開弁すると前記二次側配管に流入する加圧水に押圧されて閉弁する常開の流水遮断弁と、を有するスプリンクラ消火設備において、前記真空配管に前記オリフィスと並列になるように接続された常閉の開放弁と、前記予作動弁が開放されたとき又は開放されるときに、前記流水遮断弁を吸引して、当該流水遮断弁の弁体のチャタリングを防止し確実に閉止するように前記開放弁を開放する弁制御手段と、を備えたものである。
【発明の効果】
【０００７】
本発明によれば、火災発生によって予作動弁が開放されたときに開放弁を開放して、真空配管の負圧を十分に確保するので、予作動弁から二次側配管内に流入する加圧水の圧力により流水遮断弁がチャタリングを起こすことなく、予作動弁の開放に連動して確実に閉止することができる。また、二次側配管の圧力上昇によって開放弁を開放して、真空配管の負圧を十分に確保するので、スプリンクラヘッドが破損しても、立ち下がり配管内の残水が漏出することはない。
【図面の簡単な説明】
【０００８】
【図１】実施の形態に係るスプリンクラ消火設備を示すシステム構成図である。
【図２】実施の形態に係るスプリンクラ消火設備の動作を示すフローチャートである。
【発明を実施するための形態】
【０００９】
本発明に係るスプリンクラ消火設備及び制御方法の実施の形態について、図１に示すシステム構成図を用いて説明する。
本実施の形態のスプリンクラ消火設備は、水源である消火用水槽ＷＴ、消火用水槽ＷＴの近くに設置された加圧送水装置１、予作動弁２、予作動弁２の一次側に接続され、加圧送水装置１からの消火用水（加圧水）が充満された一次側配管４、予作動弁２の二次側に接続され、平常時に予作動弁２により通水が遮断され、平常時は充水されない二次側配管５、二次側配管５に接続され、防護区画Ａに配置された複数のスプリンクラヘッド３、二次側配管５に真空配管７を介して接続され、二次側配管５内を負圧にする真空ポンプ８、真空配管７に設けられ、放水時に二次側配管５へ圧送される消火用水の圧力によって閉弁する常開の流水遮断弁９、流水遮断弁９と真空ポンプ８の間の真空配管７に介在するように設けられたオリフィス１２、等から構成されている。なお、スプリンクラヘッド３が設置された防護区画Ａには火災感知器２１が配設され、火災感知器２１は火災受信機２２とで自動火災報知設備を構成している。
【００１０】
前述の予作動弁２には、予作動弁２を駆動（開放）する電動式パイロット弁である遠隔起動弁２ｂと、予作動弁２の開放によって二次側配管５へ送出される消火用水を検出する流水検知スイッチとしての流水信号用圧力スイッチ２ａが設けられている。複数のスプリンクラヘッド３は、二次側配管５より下方に延びる複数の立ち下がり配管６にそれぞれ装着されている。二次側配管５の末端部に接続された末端試験弁１５には、排水配管１６が接続されている。スプリンクラ消火設備の耐圧試験等によって二次側配管５内に満たされた消火用水は、末端試験弁１５及び予作動弁２に設けられた図示しない排水弁を開くことにより、外部に排出される。なお、末端試験弁１５は、平常時には閉じられている。
【００１１】
真空配管７に設けられた流水遮断弁９は、平常時は開弁しており、予作動弁２が開放したときに二次側配管５内に圧送される消火用水によって上昇する二次側配管５内の圧力で閉止する、例えば機械式の遮断弁である。その流水遮断弁９によって、真空配管７内への消火用水の流入を防止している。真空配管７には、二次側配管５との接続部側から真空ポンプ８側に向けて、圧力検出手段である真空スイッチ１０及びヘッド作動検出装置１１、真空スイッチ１４が順に設けられている。また、真空配管７には、オリフィス１２と並列になるように接続された開放弁としての急速吸引弁１３が接続されている。なお、急速開放弁１３は、開放時の圧損がオリフィス１２よりも十分に小さくなるものが用いられ、スプリンクラヘッド３が破損した場合であっても二次側配管５内の負圧が維持され、スプリンクラヘッド３が接続された立ち下がり配管６内に滞留した残水が漏出することがないものが適宜選択される。
【００１２】
流水遮断弁９側の真空スイッチ１０は、真空配管７内の圧力を通して二次側配管５内の圧力を検出し、その圧力が予め定めた所定値を超えたときに、後述する消火システム制御盤２３に二次圧上昇信号を送出する。ヘッド作動検出装置１１は、真空配管７内の圧力を通して二次側配管５内の圧力を検出し、所定の圧力上昇率としての所定時間当たりの圧力変化量（絶対値）が予め定めた所定値を超えたときに、前記と同様に消火システム制御盤２３に二次圧上昇信号を送出する。
【００１３】
真空ポンプ８側の真空スイッチ１４は、スプリンクラヘッド３と立ち下がり配管６との接続部等から徐々に流入する外気により上昇する二次側配管５内の圧力を真空配管７内の圧力を通して検出し、その圧力が所定の圧力以上のときに、後述する真空ポンプ制御盤２６に信号を送出して真空ポンプ８を駆動させ、二次側配管５内の負圧を一定の圧力に保っている。急速吸引弁１３は、例えば、弁体が常閉の電動式開放弁であり、オリフィス１２を迂回する流路を開放することによって、オリフィス１２による吸引圧力の損失を無くし、スプリンクラヘッド３の破損による立ち下がり配管６内の残水（消火用水）が漏出しないように吸引したり、放水時に流水遮断弁９を確実に閉止させるために、二次側配管５内と真空配管７内との間で流水遮断弁９を閉止するのに十分な差圧が生じるように設けられている。
【００１４】
また、スプリンクラ消火設備には、火災感知器２１と電気的に接続され自動火災報知設備を構成する火災受信機２２と電気的に接続され、弁制御手段を有する消火システム制御盤２３、消火システム制御盤２３と電気的に接続された真空ポンプ制御盤２６、加圧送水装置１のポンプモーターを駆動制御する消火ポンプ制御盤２５等が設けられている。火災受信機２２は、火災感知器２１の火災発報を検知したときに、消火システム制御盤２３に火災信号を送出する。消火システム制御盤２３は、中継器２４を介して、流水信号用圧力スイッチ２ａ、遠隔起動弁２ｂ、真空スイッチ１０、ヘッド作動検出装置１１及び急速吸引弁１３と電気的に接続されている。なお、中継器２４は消火システム制御盤２３との間を多重通信するものであるが、消火システム制御盤２３に図示しない個別の入出力部を設け、流水信号用圧力スイッチ２ａ、遠隔起動弁２ｂ、真空スイッチ１０、ヘッド作動検出装置１１及び急速吸引弁１３との間を、中継器２４を介さずに、それぞれ直接電気的に接続しても良い。
【００１５】
次に、本実施の形態に係るスプリンクラ消火設備の動作を、ケース別に説明する。
（１）二次圧上昇の場合
消火システム制御盤２３は、予作動弁２が開放していない場合（即ち、流水信号用圧力スイッチ２ａからの流水信号が入力されていない場合、あるいは、遠隔起動弁２ｂを介して予作動弁２を開弁する制御信号を送出していない場合）に、真空スイッチ１０あるいはヘッド作動検出装置１１からの二次圧上昇信号の入力を検知すると、急速吸引弁１３を開放する。これは、防護区画Ａ内での火災発生でスプリンクラヘッド３の放水口が開栓したことにより、あるいはスプリンクラヘッド３の破損により、外気が二次側配管５内に流入して圧力が上昇したときである。火災発生時は問題ないが、スプリンクラヘッド３を破損した場合には、立ち下がり配管６に溜まっている消火用水をオリフィス１２での圧損によって十分に吸引できずに漏水してしまうことがある。この水漏れを防止するために、急速吸引弁１３を開放してオリフィス１２における圧損を無くし、二次側配管５に至る真空配管７内を強力に吸引する。これにより、二次側配管５内が所定の負圧を維持できるので、立ち下がり配管６内の残水が二次側配管５側に吸引され、破損したスプリンクラヘッド３から漏出することはない。
【００１６】
二次側配管５内の真空度が低いときには、真空スイッチ１０がヘッド作動検出装置１１より先に作動して二次圧上昇信号を送出する。これは、二次側配管５内の圧力変化が緩やかであるため、ヘッド作動検出装置１１による所定値を超える圧力変化量を検出することができないからである。また、二次側配管５内の真空度が高いときには、ヘッド作動検出装置１１が真空スイッチ１０より先に作動して二次圧上昇信号を送出する。この場合、二次側配管５内の真空度が高く、真空スイッチ１０による所定値を超える圧力を検出するまでの時間が長いからである。
【００１７】
（１−１）二次圧上昇、かつ、火災信号受信の場合
消火システム制御盤２３は、ヘッド作動検知スイッチ１１または真空スイッチ１０からの二次圧上昇信号を受信するとともに火災受信機２２からの火災信号を受信すると、遠隔起動弁２ｂに開弁信号を送出し、予作動弁２を開放する。この時、一次側配管４内の消火用水が二次側配管５内に流入する。一方、消火ポンプ制御盤２５は、加圧送水装置１を通して一次側配管４内の圧力が低下したことを検知したときに、加圧送水装置１を駆動して消火用水槽ＷＴから消火用水を吸引させ、消火用水を一次側配管４へ圧送し、二次側配管５及び立ち下がり配管６を介して開栓したスプリンクラヘッド３から散水させる。
【００１８】
（１−２）二次圧上昇の場合で、火災信号が無い場合
また、消火システム制御盤２３は、急速吸引弁１３を開放してから火災受信機２２からの火災信号が入力されないときには、前述の二次圧上昇信号が無い状態での復旧操作が行われたかどうかを判定し、二次圧上昇信号が出力されたままの場合、あるいは、二次圧上昇信号の出力が停止しても復旧操作が無い場合は、スプリンクラ消火設備の動作に変化は無い。二次圧上昇信号が停止（例えば、破損したスプリンクラヘッド３が交換されて二次側配管５への外気流入が停止）し、復旧操作が行われたときには急速吸引弁１３を閉止し、平常状態に復する。ここに、復旧操作とは、消火システム制御盤２３の操作部に設けられた復旧スイッチを操作することである。
【００１９】
（２）予作動弁開放の場合
また、消火システム制御盤２３は、前記操作部の手動操作により遠隔起動弁２ｂに開弁信号を送出し、予作動弁２を開放し、前記開弁信号を送出したこと、あるいは、流水信号用圧力スイッチ２ａからの流水信号を受信したことにより、急速吸引弁１３を開放する。これにより、オリフィス１２を迂回する流路が開放され、オリフィス１２による吸引圧力の損失を無くすので、流水遮断弁９に逆止弁構造を用いた場合はこれを予作動弁２の開放に連動して確実に閉止させる。即ち、急速吸引弁１３を開放することによって、オリフィス１２による圧損を受けることなく真空配管７内を真空ポンプ８が強力に吸引するので、二次側配管５内に流入する消火用水の圧力により、流水遮断弁９の一次側と二次側との間の差圧が流水遮断弁９を確実に閉止させる圧力となるので、流水遮断弁９の弁体が真空配管７側に移動して確実に閉止され、消火用水が真空配管へ流入することはない。なお、流水遮断弁９に電動弁を用い、消火システム制御盤２３が遠隔起動弁２ｂに開弁信号を送出したとき、または、予作動弁２の開放に伴って流水信号用圧力スイッチ２ａからの流水信号を消火システム制御盤２３が受信したときに、流水遮断弁９を閉止するように制御してもよい。そして、消火システム制御盤２３は、急速吸引弁１３を開放した後に、火災信号の入力が無い状態での復旧操作が行われたかどうかを判定し、火災鎮火が確認されて操作員が自動火災報知設備の復旧操作を行ない、火災受信機２２からの火災信号が消火システム制御盤２３に入力されない状態で、消火システム制御盤２３の盤面で復旧操作が行われたときには、急速吸引弁１３を閉止すると共に、遠隔起動弁２ｂを閉止して予作動弁２を閉止、さらに消火ポンプ制御盤２５を操作して加圧送水装置１を停止し、消火作業を終了する。
【００２０】
以上、ケース別に制御方法を説明したように、本実施の形態における急速吸引弁１３の制御における優先順位は、流水信号（または遠隔起動弁２ｂの開弁信号）、二次圧上昇信号、火災信号の順としている。流水信号（または遠隔起動弁２ｂの開弁信号）を最優先としているのは、予作動弁２の開放による二次側配管５内に流入する消火用水が真空配管７内に流れ込まないようにするためである。二次圧上昇信号を２番目としているのは、特にスプリンクラヘッド３の破損による水漏れを防止するためである。
【００２１】
次に、本実施の形態のスプリンクラ消火設備の動作を図２に示すフローチャートに基づいて説明する。
本実施の形態に係るスプリンクラ消火設備は、平常状態では、二次側配管５内には消火用水が無く、真空ポンプ８の運転により二次側配管５内と真空配管７内が外気より低い負圧となっている、真空式の予作動式スプリンクラ消火設備である。
【００２２】
平常状態では、前述したように二次側配管５内と真空配管７内は負圧となっており、遠隔起動弁２ｂ及び急速吸引弁１３が閉止状態となっている（Ｓ１）。この状態においては、二次側配管５内と真空配管７内は、スプリンクラヘッド３と立ち下がり配管６との接続部等から徐々に外気が流入し、負圧である管内圧力が上がってくる（大気圧に近づいてくる）。負圧である二次側配管５内と真空配管７内の圧力が所定の圧力以上になったことを真空スイッチ１４が検出すると、真空ポンプ制御盤２６は、真空ポンプ８を駆動して、二次側配管５内と真空配管７内の圧力が所定の圧力未満の負圧になるように制御する。この動作は、二次側配管５内と真空配管７内の圧力が所定の圧力以上になる度に繰り返し行われ、二次側配管５内と真空配管７内の圧力は常に所定の圧力以下の負圧に保たれる。
【００２３】
一方、消火システム制御盤２３は、流水信号用圧力スイッチ２ａからの流水信号が入力されたかどうかを判定しており（Ｓ２）、流水信号の入力が無いときには、真空スイッチ１０あるいはヘッド作動検出装置１１の何れかからの二次圧上昇信号が入力されたかどうかを判定する（Ｓ３）。消火システム制御盤２３は、二次圧上昇信号の入力が無いときには、Ｓ２に戻って、何れか一方の信号の入力を検知するまで繰り返し行う。なお、上記の流水信号の有無を判定するステップ（Ｓ２）においては、予作動弁２、すなわち遠隔起動弁２ｂへの開弁信号の有無と置き換えることができる。
【００２４】
消火システム制御盤２３は、流水信号を受信したときには、急速吸引弁１３を開放する（Ｓ９）。この時の流水信号は、本制御盤２３の操作部から手動操作で遠隔起動弁２ｂを起動させたときの予作動弁２の開放による流水信号用圧力スイッチ２ａからの信号である。つまり、火災発生時に火災感知器２１の火災発報を待たずに、手動で予作動弁２を開放させて、開栓したスプリンクラヘッド３から消火用水を散水させるときである。急速吸引弁１３の開放により、オリフィス１２を迂回する流路が開放され、オリフィス１２による吸引圧力の損失を無くすので、予作動弁２から二次側配管５内に流入する消火用水の圧力で流水遮断弁９の弁体が真空配管７側に移動して閉止し、二次側配管５と真空配管７との連通を遮断し、二次側配管５から真空配管７への消火用水の流入を防止する。
【００２５】
その後、消火システム制御盤２３は、火災受信機２２からの火災信号の入力が無い状態での復旧操作の有無を判定する（Ｓ７）。消火システム制御盤２３は、復旧操作が行われないときには、予作動弁２の開放状態を保持して、スプリンクラヘッド３から消火用水を散水させるが、火災信号の入力が停止して復旧操作が行われたときには、急速吸引弁１３を閉止すると共に、遠隔起動弁２ｂを閉止して予作動弁２を閉止し（Ｓ８）、散水を停止し、消火作業を終了する。
【００２６】
また、消火システム制御盤２３は、流水信号を受信することなく（Ｓ２）、二次圧上昇信号を受信したときには（Ｓ３）、急速吸引弁１３を開放する（Ｓ４）。この場合は、火災発生でスプリンクラヘッド３の放水口の開栓により外気が二次側配管５内に流入したとき、あるいはスプリンクラヘッド３の破損により外気が二次側配管５内に流入したときである。スプリンクラヘッド３が破損した場合は、立ち下がり配管６内に溜まった消火用水を二次側配管５内に吸引するので漏水しない。
【００２７】
その後、消火システム制御盤２３は、火災受信機２２からの火災信号入力の有無を判定する（Ｓ５）。消火システム制御盤２３は、火災信号入力が有るときには、遠隔起動弁２ｂを起動（開放）して予作動弁２を開放し、スプリンクラヘッド３から消火用水を散水させる（Ｓ６）。そして、消火システム制御盤２３は、火災信号が無い状態での復旧操作があるかどうかを判定し（Ｓ７）、復旧操作が無いときには、予作動弁２の開放状態を保持してスプリンクラヘッド３からの散水を継続させる。また、消火システム制御盤２３は、火災信号が無い状態で復旧操作が行われたときには、前述したように、急速吸引弁１３を閉止すると共に、遠隔起動弁２ｂを閉止して予作動弁２を閉止にし（Ｓ８）、散水を停止して消火作業を終了する。
【００２８】
消火システム制御盤２３は、Ｓ５において、火災信号の入力が無いと判定したときには、二次圧上昇信号が無い状態での復旧操作が行われたかどうかを判定する（Ｓ１０）。これは、例えば、損傷したスプリンクラヘッド３の交換が終了した後の操作部の手動操作による復旧操作である。消火システム制御盤２３は、復旧操作が行われていないと判定したときには、復旧操作が行われるまでＳ２、Ｓ３、Ｓ４、Ｓ５、Ｓ１０の各ステップを順に進んで繰り返す。また、消火システム制御盤２３は、二次圧上昇信号が無い状態での復旧操作が行われたと判定したときには、急速吸引弁１３を閉止し（Ｓ１１）、Ｓ２に戻って流水信号が入力されたかどうかの判定に入る。なお、二次圧上昇信号が入力されている状態で急速吸引弁１３自体を手動操作で閉止しても、Ｓ３において再び二次圧上昇信号を認識し、Ｓ４において急速吸引弁１３を開放するので、破損したスプリンクラヘッド３からの漏水は防止される。また、消火システム制御盤２３の盤面に急速吸引弁１３の動作状況を表示させるようにしておくと、損傷したスプリンクラヘッド３の交換を忘れるということがない。
【００２９】
以上のように本実施の形態においては、予作動弁２が開放されたときに急速吸引弁１３を開放して、予作動弁２から二次側配管５内に流入する消火用水の圧力により流水遮断弁９が確実に閉止するようにオリフィス１２を迂回する流路が開放され、オリフィス１２による吸引圧力の損失を無くすようにしている。これにより、流水遮断弁９がチャタリングを起こすことなく、スムーズに予作動弁２の開放に連動して閉止することができる。また、予作動弁２が開放することなく二次圧上昇信号が入力されると、急速吸引弁１３を開放し、二次側配管５内を所定の負圧にするようにしている。これにより、スプリンクラヘッド３が破損しても立ち下がり配管６内の残水を吸引でき、スプリンクラヘッド３からの漏水を防ぐことが可能になる。
【００３０】
なお、本実施の形態では、機械式の流水遮断弁９を用いたことを述べたが、消火システム制御盤２３からの制御信号で弁体が開閉する流水遮断弁でもよい。そのタイプの流水遮断弁を用いた場合、消火システム制御盤２３は、その弁体を常開とし、予作動弁２の開弁信号を送出したとき、または、予作動弁２の開放による流水信号を受信したとき、または、二次圧上昇信号を受信したときに前記流水遮断弁の弁体を閉止するように制御する。
【符号の説明】
【００３１】
１  加圧送水装置、２  予作動弁、２ａ  流水信号用圧力スイッチ、２ｂ  遠隔起動弁、３  スプリンクラヘッド、４  一次側配管、５  二次側配管、６  立ち下がり配管、７  真空配管、８  真空ポンプ、９  流水遮断弁、１０  真空スイッチ、１１  ヘッド作動検出装置、１２  オリフィス、１３  急速吸引弁、１４  真空スイッチ、１５  末端試験弁、１６  排水配管、２１  火災感知器、２２  火災受信機、２３  消火システム制御盤、２４  中継器、２５  消火ポンプ制御盤、２６  真空ポンプ制御盤、Ａ  防護区画、ＷＴ  消火用水槽。
【図１】
0005705026.tif 000002
【図２】
0005705026.tif 000003